(57)【特許請求の範囲】
【請求項１】
放電灯、ランプ若しくはスタータのような電気的な作動手段のためのソケットにおいて、
絶縁材料製のケーシング（２）を備え、
該ケーシング（２）内に配置された少なくとも１つの接点ばね舌片（５１）を備え、該接点ばね舌片が作動手段に存在する接点への接続のために規定されており、
前記ケーシング（２）内に配置されていて外側からアクセス可能なほぼプレート状の少なくとも１つの切り込みクランプ接点（５３）を備え、該切り込みクランプ接点（５３）が導線の締め付けのための切り込みクランプスリット（５８）を有しており、該切り込みクランプスリット（５８）が押し込まれた導線の導体の締め付け固定作用を生ぜしめる幅であり、
接点ばね舌片（５１）と切り込みクランプ接点（５３）との間に位置する導電性の結合部分（５２）を備え、接点ばね舌片（５１）、切り込みクランプ接点（５３）、及び結合部分（５２）が互いに一体に結合されていて、接点ばね部材（４９）を形成しており、
前記ケーシング（２）内に設けられて切り込みクランプ接点（５３）を受容する少なくとも１つの室（３３，４８）を、該ケーシング（２）の取付け手段（１７，１８，１９）と逆の側に備え、
該室（３３，４８）は、該室の側面を完全に取り囲むように画成する４つの室壁（３８）及び底面を画成する１つの底部（１６，９８）によって形成されていて、前記室壁のうちの、室（３３，４８）内に受容された切り込みクランプ接点（５３）の側面（６０）と相対する両方の各室壁（３８）に、切り込みクランプ接点（５３）の切り込みクランプスリット（５８）と合致させて、導線が押し込まれるそれぞれ１つの挿入スリット（３９）を有し、かつ前記両方の室壁（３８）間に位置する別の１つの室壁に、切り込みクランプ接点（５３）が前記室（３３，４８）に向けて挿入されるスリット（４４）を有しており、
前記室（３３，４８）を画成する前記室壁（３８）は切り込みクランプ接点（５３）の高さよりも、該切り込みクランプ接点（５３）に対する接触防止のために十分に大きな高さを有しており、
切り込みクランプ接点（５３）が前記別の室壁のスリット（４４）を介して前記室（３３，４８）内へ挿入されて該室内に受容されかつ、前記室（３３，４８）の底部に支えられており、
前記切り込みクランプスリット（５８）及び前記挿入スリット（３９）は取付け手段（１７，１８，１９）と逆の方向に向かって開いており、
前記各挿入スリット（３９）の横で前記切り込みクランプ接点（５３）と逆の側に、該切り込みクランプスリット（５８）及び前記挿入スリット（３９）内に押し込まれた導線の、挿入スリット（３９）を越えて突出する導体端部の受容のための溝（２４，２５）を設けてあり、
該溝（２４，２５）は、前記各挿入スリット（３９）の横に配置されていて互いに間隔を置いてかつ互いに平行に延びている壁（２１，２２，２３）によって形成されており、
該壁（２１，２２，２３）は前記溝（２４，２５）内に受容された前記導体端部に対する接触を防止しており、前記各溝（２４，２５）の幅が、押し込まれる導線絶縁体の外径よりも大きくなっており、かつ該各溝（２４，２５）が挿入スリット（３９）よりも深くなっていることを特徴とする、電気的な作動手段のためのソケット。
【請求項２】
切り込みクランプスリット（５８）が開放側の端部を漏斗状に拡大されている請求項１記載のソケット。
【請求項３】
挿入スリット（３９）が開放側の端部を漏斗状に拡大されている請求項１記載のソケット。
【請求項４】
ケーシング（２）が第１及び第２のケーシング脚部（３，４）を有しており、両方のケーシング脚部が互いに、側方から見てほぼＬ字形に一体的に結合されており、両方のケーシング脚部（３，４）の長手方向軸線が互いに垂直に交差している請求項１記載のソケット。
【請求項５】
第１のケーシング脚部（３）が、第２のケーシング脚部（４）に隣接のフロント壁（６）に電気的な作動手段の口金若しくは口金ピンのための少なくとも１つの孔（１３）を有している請求項４記載のソケット。
【請求項６】
フロント壁（６）に、２ピン式口金付きランプの受容のための回転部材（１５）が回転可能に支承されている請求項５記載のソケット。
【請求項７】
第２のケーシング脚部(４)内に切り込みクランプ接点（５３）のための室（３３，４８）が設けられている請求項４記載のソケット。
【請求項８】
第２のケーシング脚部（４）が２つの切り込みクランプ接点（５３）のための、該切り込みクランプ接点に押し込まれる導線に対して垂直な方向で間隔を置いて配置された２つの室（３３，４８）を有しており、該室（３３，４８）に続く溝（２４，２５）は切り込みクランプ接点に押し込まれる導線の方向に延びていて、溝自体の長手方向で変化した幅を有しており、前記両方の室（３３，４８）が前記溝（２４，２５）の長手方向で互いにずらして配置されている請求項７記載のソケット。
【請求項９】
第１のケーシング脚部（３）のフロント壁（６）に隣接の溝（２５）の壁（２３）は、前記フロント壁（６）から遠い側の溝（２４）に隣接する室（３３）の前記スリット（４４）と、切り込みクランプ接点に押し込まれる導線に対して垂直な方向で合致するスリット（４７）を有しており、該スリット（４７）を通して切り込みクランプ接点（５３）が前記室（３３）内へ第１のケーシング脚部（３）から挿入されるようになっている請求項８記載のソケット。
【請求項１０】
第１のケーシング脚部（３）のフロント壁（６）から遠い側の室（３３）及び前記フロント壁（６）に隣接の溝（２５）が同じ高さに位置する底部を有している請求項９記載のソケット。
【請求項１１】
ケーシング（２）は、第１のケーシング脚部（３）と第２のケーシング脚部（４）との間の結合部の領域の内部に、第１及び第２のケーシング脚部（３，４）の側壁（１２）間で切り込みクランプ接点に押し込まれる導線に対して垂直な方向に延びる少なくとも１つの分離壁（２８）を備えており、該分離壁（２８）は前記内部を複数の部分区分に分割して、第１及び第２のケーシング脚部（３，４）の側壁（１２）と一緒に、接触防止に役立つ溝状の凹所を形成している請求項４記載のソケット。
【請求項１２】
互いに間隔を置いて配置された２つの分離壁（２８）を設けてあり、該分離壁が第１若しくは第２のケーシング脚部（３，４）の側壁（１２）と一緒に、接触防止に役立つ溝状の凹所を形成している請求項１１記載のソケット。
【請求項１３】
第１のケーシング脚部（３）が底部区分（１０４）を有しており、該底部区分が第１のケーシング脚部（３）に一体ヒンジ（１０１）を介して一体に結合されており、底部区分（１０４）に室（３３，４８）及び溝状の凹所（３４，３５）が配置されている請求項４記載のソケット。
【請求項１４】
接点ばね部材（４９）の結合部分（５２）は、第１のケーシング脚部（４）内の、切り込みクランプ接点（５３）の受容のための室（３３，４８）と第１のケーシング脚部（３）の、フロント壁（６）と逆の背面（１０２）との間に配置されていて第１のケーシング脚部（３）の底部区分（１０４）に一体成形された溝付きのウェブ（１０６）の溝内に受容されている請求項１３記載のソケット。
【請求項１５】
第１のケーシング脚部（３）は側方にケーシング付加部（７１）を備えており、該ケーシング付加部は別の電気的な作動手段のための開口（７５）及び接点ばね部材（７３，７７）を備えている請求項４記載のソケット。
【請求項１６】
別の電気的な作動手段はスタータソケットユニットである請求項１５記載のソケット。
【請求項１７】
ケーシング(２)がほぼ、前壁(８７)、後壁（８８）、及び側壁（９０）を備えた直方体であり、前壁（８７）が電気的な作動手段の口金若しくは口金ピンのための開口（７５）を有している請求項１記載のソケット。
【請求項１８】
室（３３）が側壁（９０）に形成されている請求項１７記載のソケット。
【請求項１９】
１つの側壁（９０）の角隅の近くで該側壁に２つの室（３３）が形成されている請求項１８記載のソケット。
【請求項２０】
切り込みクランプ接点（５３）の切り込みクランプスリット（５８）及び挿入スリット（３９）内に押し込まれた導線の、挿入スリット（３９）を越えて突出する導体端部の受容のための溝が前壁（８７）若しくは後壁（８８）を貫通している請求項１７記載のソケット。
【請求項２１】
接点ばね部材（４９，７３）が薄板打ち抜き片によって形成されている請求項１記載のソケット。
【請求項２２】
接点ばね部材（４９，７３）がほぼＬ字形の構造である請求項１記載のソケット。
【請求項２３】
接点ばね舌片（５１）が切り込みクランプ接点（５３）とほぼ同じ平面内に位置している請求項１記載のソケット。
【請求項２４】
接点ばね舌片(５１)が、切り込みクランプ接点(５３)の位置する平面に対してほぼ垂直な平面に位置している請求項１記載のソケット。
【発明の詳細な説明】
【０００１】
【産業上の利用分野】
本発明は、放電灯、ランプ若しくはスタータのような電気的な作動手段のためのソケットに関する。
【０００２】
【従来の技術】
ドイツ連邦共和国特許出願第４２３２８０２号明細書にスタータの差込可能なランプ用ソケットを記載してあり、該ランプ用ソケットのケーシングは側面で見てほぼＬ字形を成しており、ケーシングの一方のケーシング脚部に接点ばね舌片が配置してあり、該接点ばね舌片によってランプの口金ピンに対する電気的な結合が行われる。Ｌ字形のケーシングの他方のケーシング脚部にはスタータ管及び所属のコンデンサが配置されている。
【０００３】
外側の配線と一方の接点ばね舌片との間の電気的な結合が、自縛作用を持った接点を介して行われ、この場合、絶縁された線材端部が適当な開口を通してケーシング内に差し込まれる。このために、接点ばね舌片が開口の範囲に打ち抜かれた別の接点舌片及び該接点舌片に続いていて折り曲げられて線材端部のための対向支承部としての接点範囲を有しており、線材端部が該接点範囲と接点ばね舌片の自由端部との間に締め付けられる。口金ピンのための接点ばね舌片と導体接続のための接点舌片とは１つの薄板ストリップから形成されており、薄板ストリップが側面を基点として相応に曲げられている。
【０００４】
外側の配線とスタータとの間の結合が固有のクランプばね舌片を介して行われ、クランプばね舌片がケーシングの別の部分に配置されている。
【０００５】
別のドイツ連邦共和国特許出願第４２１８７４０号明細書に、２つのピンを備えた口金付きのランプのためのソケットにいわゆる切り込みクランプ技術を応用して、ランプの自動的な配線を可能にすることが記載されている。このために、ソケットの絶縁材料から成るケーシング内にほぼＵ字形の構造の２つの切り込みクランプばねが互いにずらして配置されている。Ｕ字形の構造に基づき形成された切り込みクランプスリットが上方に向かって開いていて、切り込みクランプ接点内へのあらかじめ絶縁体除去されていない導体の半径方向の押し込みを可能にする。側方で切り込みクランプ接点の横に設けられた溝状の凹所が、導体の場合によっては裸の端部への接触に対する危険を防止している。凹所の幅及び切り込みクランプ接点内への導体の押し込みの深さは、規格の検査球が電流の流れている部分に達し得ないように選ばれている。
【０００６】
【発明の課題】
切り込みクランプ接点の使用に適したソケットを提供して、該ソケットの個別の構成部材が簡単に製造できかつ容易にソケットに組み立てられるようにすることである。
【０００７】
【発明の構成】
前記課題を解決するために本発明の構成では、絶縁材料製のケーシングを備え、該ケーシング内に配置された少なくとも１つの接点ばね舌片を備え、該接点ばね舌片が作動手段に存在する接点への接続のために規定されており、前記ケーシング内に配置されていて外側からアクセス可能なほぼプレート状の少なくとも１つの切り込みクランプ接点を備え、該切り込みクランプ接点が導線の締め付けのための切り込みクランプスリットを有しており、該切り込みクランプスリットが押し込まれた導線の導体の締め付け固定作用を生ぜしめる幅であり、接点ばね舌片と切り込みクランプ接点との間に位置する導電性の結合部分を備え、接点ばね舌片、切り込みクランプ接点、及び結合部分が互いに一体に結合されていて、接点ばね部材を形成しており、前記ケーシング内に設けられて切り込みクランプ接点を受容する少なくとも１つの室を、該ケーシングの取付け手段と逆の側に備え、該室は、該室の側面を完全に取り囲むように画成する４つの室壁及び底面を画成する１つの底部によって形成されていて、前記室壁のうちの、室内に受容された切り込みクランプ接点の側面と相対する両方の各室壁に、切り込みクランプ接点の切り込みクランプスリットと合致させて、導線が押し込まれるそれぞれ１つの挿入スリットを有し、かつ前記両方の室壁間に位置する別の１つの室壁に、切り込みクランプ接点が前記室に向けて挿入されるスリットを有しており、前記室を画成する前記室壁は切り込みクランプ接点の高さよりも、該切り込みクランプ接点に対する接触防止のために十分に大きな高さを有しており、切り込みクランプ接点が前記別の室壁のスリットを介して前記室内へ挿入されて該室内に受容されかつ、前記室の底部に支えられており、前記切り込みクランプスリット及び前記挿入スリットは取付け手段と逆の方向に向かって開いており、前記各挿入スリットの横で前記切り込みクランプ接点と逆の側に、該切り込みクランプスリット及び前記挿入スリット内に押し込まれた導線の、挿入スリットを越えて突出する導体端部の受容のための溝を設けてあり、該溝は、前記各挿入スリットの横に配置されていて互いに間隔を置いてかつ互いに平行に延びている壁によって形成されており、該壁は前記溝内に受容された前記導体端部に対する接触を防止しており、前記各溝の幅が、押し込まれる導線絶縁体の外径よりも大きくなっており、かつ該各溝が挿入スリットよりも深くなっている。
【０００８】
【発明の利点】
接点ばね舌片と切り込みクランプ接点との一体的な構成によってソケットのケーシング内での付加的な配線が避けられる。即ち、切り込みクランプ接点及び接点ばね舌片がスペース上の理由から必要な結合部分と一緒に簡単な薄板打ち抜き片として製造されており、該薄板打ち抜き片は場合によっては適当に曲げてケーシング内に挿入されるだけでよい。この場合、切り込みクランプ接点自体は外側からアクセス可能な室内に位置しており、該室が側壁に挿入スリットを備えており、該挿入スリットが切り込みクランプスリットと合致している。溝状の凹所が挿入スリットよりも深く、かつ、該凹所の幅を導線絶縁体の外径よりも大きく形成されていることによって、切り込みクランプスリット内への導線の十分に深い挿入が確実に行われる。
【００１０】
切り込みクランプスリット内への導線の挿入を容易にするために、切り込みクランプ接点を越えて突出する挿入スリットが切り込みクランプスリットの方向に漏斗状に先細になっていて、かつ場合によっては漏斗状の開口を備えている。
【００１１】
本発明に基づく新規なソケットを備えた照明器具の完全に自動的な組み立てが、ケーシングに一体の取付け手段を備えることによってさらに簡単になる。
【００１２】
新規なソケットは外形を相応に適合させることによって、蛍光灯、ランプを受容するためにも、スタータを受容するためにも用いられる。例えば１つのピンを備えた口金付きランプのために有利には、ソケットのケーシングが互いにほぼ直角を成して延びる２つのケーシング脚部を有しており、一方のケーシング脚部が口金ピンのための開口を有しており、他方のケーシング脚部が切り込みクランプ接点のための室を有している。この場合、特に有利には、各切り込みクランプ接点の横に凹所によって２つの溝をそれぞれ形成ししてあり、該溝が互いに間隔を置いてかつ一方のケーシング脚部のフロント壁に対して間隔を置いて互いに平行に延びている。従って、装着工具若しくは線材が妨げられことなくソケットのケーシングの一方のケーシング脚部の前を通過させられる。装着工具と一方のケーシング脚部のフロント壁との衝突が生じることはない。
【００１３】
室内への切り込みクランプ接点の差込、並びに切り込みクランプ接点内への導体の押し込みは、溝が室の延長線上で一方のケーシング脚部のフロント壁の方向にそれぞれ開口を有しており、切り込みクランプ接点が一方のケーシング脚部の側から所属の室内へ挿入されることによって問題なく行われる。従って、ケーシング内で導体の差込に際して切り込み力を受け止めるべき支えが損なわれることはない。室の底部並びに後壁を他方のケーシング脚部に一体にかつ頑丈に形成することができる。
【００１４】
フロント壁に最も近い溝内での絶縁体の損傷を確実に防止するために、接点ばね部材の結合部分の上側の縁部が該溝の範囲で接点ばね部材の切り込みクランプ接点の切り込みクランプスリットの下側の縁部よりも低くなっている。
【００１５】
ソケットの組み立ての際にソケットのケーシング内への接点ばね部材の差込は、溝並びに室の底部が対応する開口に滑らかに移行していると、著しく簡単になる。それというのは、接点ばね部材の差込に際して接点ばね部材を引っかけてしまうような縁部が避けられるからである。さらに、室の開口の横で溝とは逆の側に小さなリブを設けて、該リブが開口に向かって漏斗状に収斂していると、ソケットの組み立てがさらに容易になる。
【００１６】
新規なソケットのケーシングに対する材料節約が、一方のケーシング脚部の背面全体を覆うことのないカバーによって達成される。接点ばね部材に対する接触防止が、側壁及び接点ばね部材間に配置された分離壁を用いた箇所でも達成されている。
【００１７】
本発明に基づくソケットをスタータと一緒に用いる場合には、スタータソケットユニットが有利にはケーシングの一方のケーシング脚部の側方への付加部に配置されている。この場合、接点ばね部材が側面を基点にした折り曲げによってスタータの装着される範囲へ延在されている。
【００１８】
新規なソケットをスタータを保持するためにのみ使用する場合には、ケーシングが有利には直方体の形状をなしており、切り込みクランプ接点のための室が直方体の１つの側面の範囲に配置されている。
【００１９】
接点ばね部材は有利には薄板打ち抜き片から形成されているにも拘わらず、接点ばね部材は折り曲げ目標箇所を設けることによって、接点ばね部材の側面に垂直な１つの軸線を基点として折り曲げられる。このような構成は、対応する底部区分が一体ヒンジを介して一方のケーシング脚部に一体的に取り付けてあるソケットケーシングに有利に使用される。このようなソケットケーシングにおいては、接点ばね部材が伸長された状態で適当な保持部材若しくは保持部分内に差し込まれ、底部区分の上方への折り曲げ旋回によって一緒に所望の最終的な形状に曲げられる。
【００２０】
【実施例】
図１は両端に差込プラグを備えた蛍光灯のためのソケット１を示しており、ソケット１は絶縁材料から成るケーシング２を有しており、ケーシングは側面で見てほぼＬ字形である。ケーシングは垂直方向の第１のケーシング脚部３及び水平方向の第２のケーシング脚部４から成っており、ケーシング脚部の縦軸線が互いに直角に交差している。両方のケーシング脚部３，４は直交部分で互いに一体に移行している。ケーシング脚部はそれぞれ大まかに言って直方体を成している。
【００２１】
第１のケーシング脚部３は、ケーシング脚部４に向いたフロント壁６によって制限されており、該フロント壁に側壁部材７が一体成形されている。側壁部材７は、フロント壁６の輪郭をほぼ辿るつばを有しており、該つばは背面に向かって突出している。第１のケーシング脚部３の背面には後部カバー８が被せはめられている。後部カバー８の下側縁部９は第２のケーシング脚部４の上面よりも高い位置にある。下側縁部は、第１のケーシング脚部３が対称的に配置された２つの引っ込み段部１１を有していて、従って幅の狭められた箇所にほぼ位置している。両方の引っ込み段部１１に続いて第１のケーシング脚部３は互いに平行に延びる２つの側壁１２に移行している。
【００２２】
フロント壁６は公知の形式で円筒形の孔１３を有しており、該孔内に上側から側壁部材７を貫通するスリット１４が開口している。円筒形の孔１３内には、横断面で見てほぼＴ字形の回転部材１５を回転可能に支承してあり、該回転部材は蛍光灯を取り出した場合にソケット１内の導電性の部分を閉鎖して触れられないようにしている。
【００２３】
第２のケーシング脚部４はほぼ平らな底部プレート１６を有しており、該底部プレートは第１のケーシング脚部３に隣接の端部で、互いに間隔を置いて平行に延びる両方の側壁１２を介して第１のケーシング脚部３に結合されている。両方の側壁１２の横で底部プレート１６から、第１のケーシング脚部３の方向に向いた２つのアーム１７を形成してあり、該アームは自由端部に下向きの取付け足部１８を備えている。取付け足部１８に相対して、底部プレート１６の、第１のケーシング脚部３と逆の側に互いに間隔を置いた２つの係止部材１９が一体的に形成されている。取付け足部１８及び係止部材１９は互いに同じ方向に、即ち底部プレート１６から離れる方向に向いている。
【００２４】
底部プレート１６の、第１のケーシング脚部３に向いた上面から、３つの壁２１，２２，２３が突出している。壁２１，２２，２３は互いに間隔を置いて互いに平行にかつ、フロント壁６によって規定された面に対して平行に延びている。３つの壁２１，２２，２３は、並んで平行に延びる２つの溝２４，２５（図３、参照）を制限し、即ち形成している。壁２１，２２，２３の上縁部２６はそれぞれ平らであって、互いに同じ高さに位置しており、この場合、壁２３の上縁部２６がフロント壁６に一体成形された上壁２７に移行している。
【００２５】
側壁１２も上壁２７の下側で上壁２７の下面内、並びに壁２３内に一体的に移行している。次いで両方の側壁１２間に２つの分離壁２８を配置してあり、分離壁８は側壁１２と同じくほぼＬ字形であって、フロント壁６の背面、上壁２７の下面、壁２３の背面、及び底部プレート１６の上面に対して一体に成形されている。分離壁２８の外縁部２９が側壁１２の外縁部３１に対して引っ込められており、側壁の外縁部３１は側壁部材７の自由縁部（外縁部）と同一平面を成している。
【００２６】
底部プレート１６の幅の一部分に亙ってしか延びていない壁２１によって制限された溝２４（図３、参照）は、ほぼ中央に１つの室３３によって互いにほぼ同じ長さの溝状の２つの凹所３４，３５に分割されており、各凹所３４，３５は互いに平行に延びる平面的な２つの溝壁３６，３７と該溝壁に対して直角を成して延びる溝壁３８とによって制限されており、該溝壁は同時に底部プレート１６の上面でもある。
【００２７】
室３３は、互いに間隔を置いて互いに平行にかつ溝壁３６，３７に対して直角に延びる２つの室壁３８によって制限されており、該両方の室壁は互いに鏡面対称的に構成されている。図２から明らかなように、それぞれ上縁部２６から底部プレート１６の上面まで達する両方の室壁３８内には、挿入スリット３９を互いに合致するように設けてあり、該挿入スリットは溝２４の中央に配置されており、挿入スリットの底縁４１は底部プレート１６の上面に対して距離を置いて位置している。両方の室壁３８内の挿入スリット３９は上側の端部４３で漏斗状に拡大されている。室３３は、特に図３から明らかなように、溝２４の内のり輪郭で、溝２４の左側に位置する室区分４３に比して、溝２４の長手方向のわずかに大きな幅を有している。室区分４３は側面を互いに平行に形成されていて、底部プレート１６の上面まで達している。
【００２８】
室３３は、図３で見て右側の端部に壁２２の上縁部２６から底部プレート１６の上面まで達するスリット４４を備えており、該スリットは壁２２を完全に貫通している。スリット４４は溝２５の方向に向かって漏斗状の拡大部４５を備えており、該拡大部は同じく壁２２の上縁部２６から底部プレート１６の上面まで達している。
【００２９】
スリット４４は、室区分４３を対称的に延びかつ底部プレート１６に垂直な面に対して対称的に形成されている。さらに、室区分４３を対称的に延びかつ底部プレート１６に垂直な前記面に対して対称的に壁２３の凹所４６内に、全周を囲まれた長方形の切欠き４７（図２、参照）が配置されている。切欠き４７の幅は、スリット４４の内のり幅に相応しているのに対して、切欠きの高さは壁２１，２２，２３の高さよりも明確に低くなっている。切欠き４７は下側の端部を底部プレート１６の上面によって滑らかに制限されている。切欠き４７は分離壁２８と隣接の側壁１２との間に対称的に位置している。側壁１２と分離壁２８との間の距離は切欠き４７の幅よりも大きくなっている。
【００３０】
壁２３の背面には、切欠き４７から出発して分離壁２８若しくは側壁１２の隣接の壁面に向かって傾斜して延びる小さなリブが一体成形されている。このリブは作図上の理由から図面では見えない。
【００３１】
溝２５に別の室４８を設けてあり、該室４８は溝２５の長手方向で溝２４の室３３に対してずらされている。室４８は同じように２つの室壁３８によって制限されており、該室壁は溝２４の室３３の室壁３８と同じ形式で形成されていて、従って同じ符号を付けてある。室４８の室壁３８も挿入スリット３９によって部分的に貫通されている。
【００３２】
さらに同じように、室４８は室区分４３を有しており、該室区分は壁２２内に位置している。室４８は室３３に対して、室４８のスリット４４が室４８に配設して壁２３内に形成された切欠き内に直接に移行していることによってのみ異なっている。室４８に配設の切欠きは、凹所４６内に設けられた切欠き４７と同じ形状を有するものの、凹所内の切欠きに配設された分離壁２８（図２、参照）と該分離壁に隣接の側壁１２とは別の分離壁と該別の分離壁に隣接の側壁との間に位置している。従って、室４８に配設の切欠きと凹所４６内に設けられた切欠き４７との間には、互いに間隔を置いてかつ互いに平行に延びる２つの分離壁２８が配置されている。
【００３３】
ソケット１はケーシング２の内部にほぼ同じ２つの接点ばね部材４９を有している。図示の接点ばね部材４９は室３３内での使用のために規定されている。接点ばね部材４９は接点ばね舌片５１、結合部分５２、及び切り込みクランプ接点５３を有しており、これらの構成部分はすべて互いに一体に結合されている。
【００３４】
切り込みクランプ接点５３は、ほぼ８ｍｍの高さ及びほぼ０．３ｍｍ乃至０．５ｍｍの厚さの方形のプレートの形状を成している。切り込みクランプ接点は側方で互いに平行な２つの縁部５４，５５によって、かつ上下方向で２つの縁部５６，５７によって制限されている。縁部５７は直線的であって、かつ縁部５６に対して平行である。縁部５６からは切り込みクランプスリット５８が、縁部５４，５５に対して平行に下側の縁部５７に向かって延びている。切り込みクランプ接点５３の下側の縁部５７と上側の縁部５６との間の高さは、切欠き４７の高さよりもわずかに小さくなっている。切り込みクランプ接点の下側の縁部５７と切り込みクランプスリット５８の下側の端部との間隔は、挿入スリット３９の下側の端部４１と底部プレート１６の上面との間の間隔よりも小さくなっている。
【００３５】
切り込みクランプスリット５８内への導線の挿入を容易にするために、切り込みクランプスリット５８が上側の縁部５６の近くに漏斗状の拡大部５９を備えている。
【００３６】
切り込みクランプ接点５３と接点ばね舌片５１とを一体に結合する結合部分５２は、ほぼＬ字形に構成されていて、切り込みクランプ接点の下側の縁部５７に同一平面内で移行する下側の脚部６１、及び該下側の脚部６１に対して直角に配置された上側の脚部６２を有している。両方の脚部６１，６２間には、ほぼ４５゜の角度を成して延びる中間区分６３が配置されており、該中間区分６３から、両方の脚部６１，６２間の三角形範囲に突出する付加部６４が延びている。下側の脚部６１の高さは、挿入スリット３９の下側の端部４１と底部プレート１６の上面との間の間隔よりも明確に小さく規定されている。中間区分６３は付加部６４を除いて脚部６１とほぼ同じ太さを有しており、中間区分に続いて切り込みクランプ接点５３と同じ平面内を上方に直立する脚部６２も脚部６１に相応する太さを有している。
【００３７】
脚部６２の上側の端部に接続する接点ばね舌片５１は中央箇所６５で軽くＶ字形に折り曲げられており、接点ばね舌片の幅は接続しようとする口金ピンの長さに適合させられており、即ち接点ばね舌片の幅はフロント壁６の背面と後部カバー８の内面との間の内のり幅にほぼ相応している。
【００３８】
接点ばね舌片５１の上側の端部は舌部６６に移行しており、該舌部がケーシング２の第１のケーシング脚部３内の対応するリブ間に公知の形式で保持される。
【００３９】
中間区分６３の付加部６４は上縁部６７及び前縁部６８によって制限されており、該付加部の形状は後で述べる。
【００４０】
図面では見えない別の接点ばね部材は、図面に示された接点ばね部材４９の下側の脚部６１の長さに関して異なっており、このことは同じく後で述べる。
【００４１】
図示の新規なソケットの製造に際して、あらかじめ形成されたケーシング２内に第１のケーシング脚部３の後ろ側から接点ばね部材４９が押し込まれる。この場合、切り込みクランプ接点５３の下側の縁部５７が底部プレート１６の上面に沿って図２に見える分離壁２８と図１に見える側壁１２との間を通って滑動する。切り込みクランプ接点は壁２３の切欠き４７の直前で既に前に述べたリブによってガイドされて該切欠き４７内に差し込まれ、そこから溝２５を横切って押し込まれる。壁２２のスリット４４の漏斗状の拡大部４５が切り込みクランプ接点５３を室３３内へガイドし、切り込みクランプ接点の前方の縁部５４が室区分４３に達する。この終端位置で、中間区分６３の付加部６４の前縁部６８が壁２３の切欠き４７の上側の背面に当接する。切り込みクランプ接点５３の前方の縁部５４は、室区分（延長部）４３の相対する壁に対してわずかな距離を置いて位置している。さらに前記終端位置では、接点ばね舌片５１の前方の縁部並びに脚部６２の前方の縁部が、フロント壁６２の背面に接している。中間区分６３の付加部６４の上縁部６７は上壁２７の下面にわずかな遊びを置いて位置している。最終的に、接点ばね舌片５１の上側の端部の舌部６６がケーシング２の第１のケーシング脚部３内の対応するリブ間に固定される。
【００４２】
前述のように組み立てられた位置では、結合部分５２の脚部６１は溝２５によって露出している。しかしながら、脚部６１への接触は溝２５の両方の壁２２，２３の上縁部２６間の間隔によって防止されている。脚部６１の、溝２５内に位置する脚部区分によって、該脚部区分上に配線される線材、即ち導線の絶縁体を損傷せしめてしまうような恐れもない。それというのは、該脚部６１の上縁部が挿入スリット３９の下側の端部よりも明確に低い位置にあるからである。
【００４３】
室４８に配設される（図示してない）接点ばね部材は、既に述べたように下側の脚部の長さを除いて、図示の接点ばね部材４９と同じ形状を有している。図示してない接点ばね部材の下側の脚部の長さは、該接点ばね部材を室４８に配設された（図示してない）別の切欠き内に挿入した際に切り込みクランプ接点が室４８内に達し、この場合、中間区分の前縁部及び接点ばね舌片の前方の縁部が壁２３の背面若しくはフロント壁６の背面に当接するように、規定されている。
【００４４】
接点ばね部材４９の差し込みに際して、接点ばね部材の下側の縁部５７は何らかの突起に妨げられることなしに、自由に底部プレート１６の上面上を所属の室３３若しくは４８内まで滑動できる。接点ばね部材４９の下側の縁部５７は組み立てられた状態では底部プレート１６の上面に平らに接触しており、切り込みクランプスリット５８は室壁３８の挿入スリット３９の中央に位置している。切り込みクランプスリット５８の下側の端部は室壁３８の下側に隠れている。
【００４５】
両方の接点ばね部材を差し込んだ後に、通常の形式で前方から回転部材１５が装着され、次いで後方から後部カバー８が差し嵌められる。これによって、両方の接点ばね部材がフロント壁６と後部カバー８との間でケーシング２からの抜け出しを阻止されている。
【００４６】
後部カバー８が第１のケーシング脚部３の下側の部分、並びに第２のケーシング脚部４の、第１のケーシング脚部の前記下側の部分に続く部分を覆っておらず、従って接点ばね部材の脚部６２並びに中間区分６３の部分が露出しているにも拘わらず、危険は生ぜず、それというのは側壁１２が分離壁２８と一緒に接触を確実に防止するからである。脚部６２若しくは中間区分６３の後方の縁部は分離壁並びに側壁の外縁部２９，３１に対して、接触に対する安全性を検査するための通常の検査球が分離壁と隣接の側壁との間の所定の間隔では接点ばね部材に到達できない程度に深く引っ込められている。
【００４７】
本発明に基づく新規なソケットの配線は、適当な横断面及び外径の絶縁体除去されていない導線を工具で室３３内に押し込むことによって行われる。その際に、切り込みクランプ接点５３が絶縁体内に切り込み、絶縁体自体は室３３の室壁３８の挿入スリット３９の縁部間に締め込まれる。この場合に生じる組み込み力は直接に底部プレート１６によって受け止められる。ソケット１の組み立てに際して接点ばね部材４９を接点ばね部材の前述の差し込み方向と逆方向にケーシングから押し出そうとするような力は生じない。それというのは、接点接続の際の力方向を規定する切り込みクランプスリット３８が、ケーシング２内への接点ばね部材４９の差し込み方向に対して垂直に延びているからである。
【００４８】
図４及び図５に示してあるように、本発明の構成は、ケーシング付加部、即ち側方のアーム７１内にスタータ、例えばグロースタータのソケットユニット７２を備えたソケットにも使用される。図４に示したソケットにおいては、第２のケーシング脚部４は図１乃至図３の実施例の第２のケーシング脚部と同じ形状を有している。図４の第１のケーシング脚部３は、側壁部材７をソケットユニット７２の形成のために側方へ拡大してあることによって、図１の実施例に対して異なっている。
【００４９】
図４及び図５の実施例のソケットも、背面を示す図５から特に明らかなように、底部プレート１６、互いに間隔を置いてかつ互いに平行に直立する両方の側壁１２、側壁間に配置された分離壁２８、及び分離壁と側壁との間に位置する切欠き４７を有している。左側の切欠き４７内を、図２に示した接点ばね部材４９が延びている。接点ばね部材７３は接点ばね部材４９に対して、接点ばね部材の結合部分が引っ込み段部１１のすぐ上側で右側へ曲げられて、かつそこから直線的な舌片７４としてグロースタータのための鍵穴状の開口７５に向かって延びていることによって、異なっている。舌片７４は下側の開口７５のわずかに蛍光灯横断面内を延びていて、フロント壁の拡大された側方の部分、即ちアーム７１の背面に一体成形された条片部７６によって保持されている。舌片７４は全長に亙ってフロント壁６の背面に接触している。
【００５０】
取り付けようとする蛍光灯とグロースタータとの間の第２の電気的な接続が接点ばね舌片７７によって行われ、該接点ばね舌片７７は図２の接点ばね舌片５１に類似して孔１３上を延びる舌片区分７８を有しており、該舌片区分が孔１３の上側で右側へ直線区分７９に移行している。接点ばね舌片７７を確保するために、孔１３の周囲に適当なリブ８１が設けられており、該リブ間を接点ばね舌片７７の舌片区分７８が通して案内されている。舌片区分７８の下方の端部はポケット８２内に突入している。
【００５１】
接点ばね舌片７７の直線区分７９はリブ８１の箇所から出発してクランク状折り曲げ部８３に通じて、そこから再び引き続き直線区分８４として上側の開口７５のわずかに蛍光灯横断面内を延びている。上側の開口７５の範囲で直線区分８４は一体成形された別のリブ８５によって保持されている。
【００５２】
図４及び図５に示したソケットの組み立ては、図１乃至図３のソケットの組み立てと同様に行われる。
【００５３】
図６乃至図９に示すソケット１は、ケーシング内にグロースタータ若しくは別の電気的な作動手段を保持するために構成されている。この場合、図１乃至図５の実施例の構成部材の機能と同じ機能を有する構成部材には、図１乃至図５で用いた符号と同じ符号を付して、構成部材間の同質性が容易に理解できるようにしてある。
【００５４】
図６乃至図９に示すソケット１の一体構造のケーシング２は、前壁８７及び後壁８８を有しており、前壁と後壁とは前壁と後壁との間を延びるウェブ８９若しくは側壁９０によって互いに結合されており、これによって前壁８７と後壁８８との間に十分に大きな中間室が形成されている。このような中間室は、グロースタータの口金ピンが鍵穴状の開口７５を介して前壁８７内に差し込まれた場合に、口金ピンの自由端部が後壁８８の内面に当接しないように規定されている。
【００５５】
ケーシング２の下側の両方の角隅の横に、下方へ向いた２つの係止部材１９を一体成形してあり、該係止部材が一体成形された取付け足部１８と一緒に対応する薄板ケーシング内でのソケット１の固定のために役立つ。
【００５６】
ケーシング２の上側の両方の角隅の横に、互いに電気的に分離された２つの切り込みクランプ接点のための両方の室３３が設けられている。両方の室３３は正確に鏡面対称的に構成されている。室３３の前方の室壁３８が前壁８７によって形成されているのに対して、後方の室壁３８が後壁８８の、前壁８７の方向に向かってクランク状に曲げられた壁区分によって形成されている。両方の室壁３８の正面及び背面につば９３を接続してあり、該つばがそれぞれの室３３の両側で溝状の凹所３４，３５を制限している。両方のつば９３は一貫した１つの溝を形成しており、該溝が室３３によって中断されている。前に述べた実施例に対する相違点として図６乃至図９の実施例においては、溝状の凹所３４，３５によって規定された溝の軸線が前壁８７に対して垂直に延びている。
【００５７】
特に図８から明らかなように、室３３は上方に向かって開いたスリット９４を介して前壁８７と後壁８８との間の内室に向かって開口しているのに対して、スリット９４の下側では側壁９０が延長されていて、前壁８７と後壁８８との間の内室を両方の側方に対して閉鎖している。
【００５８】
両方の室３３内に取り付けられている両方の接点ばね部材４９は互いに鏡面対称的に構成されている。この接点ばね部材４９の切り込みクランプ接点５３は下側で条片部９５に移行している。条片部９５から、上方に向いた係止舌片部９６を切り出し成形してあり、該係止舌片部が接点ばね部材４９を所属の室３３内に外れないように保持しておくために役立っている。
【００５９】
切り込みクランプ接点の上側の縁部５６の近くに結合部分５２を一体成形してあり、該結合部分が接点ばね舌片５１に移行している。接点ばね舌片５１は板ばねストリップとして構成されており、板ばねストリップの幅が前壁８７と後壁８８との間の内のり間隔に相応している。接点ばね舌片５１の平面は切り込みクランプ接点５３によって規定された平面に対して垂直であり、即ち接点ばね舌片は符号Ａの箇所の平面図に示してあるように、切り込みクランプ接点５３の平面からＬ字形に曲げ成形されている。
【００６０】
図６乃至図９に示すソケット１の組み立ては、射出成形品から成る一体構造のケーシング２のそれぞれの室３３内に両方の接点ばね部材４９を差し込むことによって簡単に行われる。室３３の下側の部分はポケット状に構成されていて、切り込みクランプ接点の付加部、即ち条片部９５を受容している。この場合、舌片部９５の下縁部９７が室３３の底部９８に当接している。この位置で、係止舌片部９６が室３３の底部９８の近くの対応する切欠き９９内にスナップ係合する。係合舌片部９６は上方に向けられているので、係合舌片部９６のスナップ係合の後には接点ばね部材４９の上方への引き抜きが阻止される。これに対して、導線を切り込みクランプスリット５８内に押し込んで接続を行う際に生じる押し込み力は、直接にケーシング２内の室３３の底部９８によって受け止められる。
【００６１】
図１０及び図１１に示す実施例においては、接点ばね部材４９の結合部分５２内に折り曲げ目標箇所１０１が含まれている。この場合、ソケットは側方からみてＬ字形のケーシング２を有しており、該ケーシングが互いに結合された２つのケーシング脚部３，４によって構成されている。第１のケーシング脚部３が側壁部材７を有しており、該側壁部材がここでは後壁（背面）１０２に一体成形されている。これに対して、フロント壁６は該フロント壁内にはめ込まれた回転部材１５と一緒に係止可能なカバーとして構成されている。
【００６２】
後壁１０２は回転部材１５から離れて位置する下側の端部でフイルムヒンジ
（Filmscharnier)、即ち一体ヒンジ１０３を介して第２のケーシング脚部４の底部区分１０４に移行している。底部区分１０４はほぼプレート状であって、組み立て状態では第２のケーシング脚部４の側方の２つの底部条片１０５間を延びている。中央の旋回可能な底部区分１０４上には、図１のケーシング脚部４に関連して述べたものと同じ壁の構造体が配置されている。さらに、両方の底部条片１０５間の間隔に相応する長さの前記壁間には、同じく室３３，４８が互いにずらして配置されている。
【００６３】
室３３，４８に続いて、該室の、後壁１０２に向いた側に溝付きのウェブ１０６を配設してあり、該ウェブが底部区分１０４に一体成形されている。ウェブ１０６内に、図３のスリット４４に対応する溝状のスリットが配置されている。
【００６４】
接点ばね部材４９の結合部分５２内に配置された折り曲げ目標箇所１０１は、結合部分５２の幅若しくは高さを小さくすることによって形成される。各室３３，４８に配設される両方の接点ばね部材は、切り込みクランプ接点５３と折り曲げ目標箇所１０１との間の間隔の点で異なっているだけである。
【００６５】
図１０及び図１１に示すソケットの製造及び組み立ては次に述べる通りである：
ソケット１のケーシング２が熱可塑性のプラスチック材料から、カバーとして構成されたフロント壁６を除いて一体に、それも図１０に示す状態に射出成形される。この場合、第２のケーシング脚部４の両方の底部条片１０５は後壁１０２に対して垂直に上方へ突出している。これに対して、両方の底部条片１０５間に設けられた底部区分１０４は後壁１０２の延長線上に位置し、即ち、一体ヒンジ１０３が伸ばされている。ウェブ１０６に形成されたスリット内を通して、打ち抜き片として形成された接点ばね部材４９が挿入され、切り込みクランプ接点５３が室４８、若しくは室３３内に装着される。両方の室は一体ヒンジ１０３に対して互いに異なる距離を有している。次いで、底部区分１０４が装着された接点ばね部材４９と一緒に時計回り方向に上方へ折り曲げられて、底部条片１０５間に該底部条片と同列を成すように規定される。この場合、接点ばね部材４９も折り曲げ目標箇所１０１で、切り込みクランプ接点５３の側面によって規定された平面に対して垂直な軸線を中心として曲げられる。底部区分１０４を上方へ旋回させ（折り曲げ）た後に、即ち図１１に示す位置で、該底部区分は係止部材（図示せず）を用いて固定される。
【図面の簡単な説明】
【図１】両側に２つのピンを備えた口金付きの電灯のためのソケットの本発明に基づく実施例の斜視図
【図２】図１のソケットの部分的に破断して示す分解斜視図
【図３】図１のソケットのケーシングの下側のケーシング脚部の部分平面図
【図４】側方に付加されたスタータソケットを備えたソケットの斜視図
【図５】図４のソケットの開いた状態で示す背面図
【図６】スタータのための、照明装置ケーシング内に取り付けられる別体のソケットの斜視図
【図７】図６のソケットの正面図、
【図８】図６のソケットの、図９の線ＶＩＩＩ−ＶＩＩＩの沿った断面図
【図９】図６のソケットの、図８の線ＩＸ−ＩＸに沿って部分的に破断して示す平面図
【図１０】ソケットの別の実施例を示す図
【図１１】図１０のソケットの組み立て状態での部分破断図
【符号の説明】
１  ソケット、    ２  ケーシング、    ３，４  ケーシング脚部、    ６  フロント壁、    ７  側壁部材、    ８  後部カバー、    ９  下側縁部、    １１  引っ込み段部、    １２  側壁、    １３  孔、    １４  スリット、  １５  回転部材、    １６  底部プレート、    １７  アーム、    １８  取付け足部、    １９  係止部材、    ２１，２２，２３  壁、    ２４，２５  溝、    ２６  上縁部、    ２７  上壁、    ２８  分離壁、    ２９，３１  外縁部、    ３３  室、    ３４，３５  凹所、    ３６，３７  溝壁、    ３８  室壁、    ３９  挿入スリット、    ４１  底縁、    ４３  室区分、    ４４  スリット、    ４５  拡大部、    ４６  凹所、    ４７  切欠き、    ４８  室、    ４９  接点ばね部材、    ５１  接点ばね舌片、    ５２  結合部分、    ５３  切り込みクランプ接点、    ５４，５５，５６，５７  縁部、５８  切り込みクランプスリット、    ５９  拡大部、    ６１，６２  脚部、    ６３  中間区分、    ６４  付加部、    ６５  中央箇所、    ６６  舌部、    ６７  上縁部、    ６８  前縁部、    ７１  アーム、    ７２  ソケットユニット、    ７３  接点ばね部材、    ７４  舌片、    ７５  開口、７６  条片部、    ７７  接点ばね舌片、    ７８  舌片区分、    ７９  直線区分、    ８１  リブ、    ８２  ポケット、    ８３  クランク状折り曲げ部、    ８４  直線区分、    ８５  リブ、    ８７  前壁、    ８８  後壁、    ８９  ウェブ、    ９０  側壁、    ９３  つば、    ９４  スリット、９５  条片部、    ９６  係止舌片部、    ９７  下縁部、    ９８  底部、    ９９  切欠き、    １０１  折り曲げ目標箇所、    １０２  後壁、    １０３  一体ヒンジ、    １０４  底部区分、    １０５  底部条片、    １０６  ウェブ
【図１】
0003929506.tif 000002
【図２】
0003929506.tif 000003
【図３】
0003929506.tif 000004
【図４】
0003929506.tif 000005
【図５】
0003929506.tif 000006
【図６】
0003929506.tif 000007
【図７】
0003929506.tif 000008
【図８】
0003929506.tif 000009
【図９】
0003929506.tif 000010
【図１０】
0003929506.tif 000011
【図１１】
0003929506.tif 000012